(57)【要約】【課題】付箋機能を利用した資料作成の効率化を図ることが可能な情報処理装置、情報処理方法、及び情報処理プログラムを提供する。【解決手段】情報処理装置は、表示部の指定された位置を検出する入力検出部と、前記入力検出部により検出される前記位置と、入力される入力情報とを関連付けて付箋画像を生成し、生成した前記付箋画像を前記表示部に表示させる付箋生成部と、前記付箋生成部により生成される複数の前記付箋画像のそれぞれの属性に基づいて、複数の前記付箋画像のそれぞれに関連付けられた複数の前記入力情報を前記表示部に表示させる表示処理部と、を備える。【選択図】図１
2020194399.tif 000002
【特許請求の範囲】
【請求項１】
表示部の指定された位置を検出する入力検出部と、
前記入力検出部により検出される前記位置と、入力される入力情報とを関連付けて付箋画像を生成し、生成した前記付箋画像を前記表示部に表示させる付箋生成部と、
前記付箋生成部により生成される複数の前記付箋画像のそれぞれの属性に基づいて、複数の前記付箋画像のそれぞれに関連付けられた複数の前記入力情報を前記表示部に表示させる表示処理部と、
を備える情報処理装置。
【請求項２】
前記付箋生成部は、前記表示部において選択された前記付箋画像の領域内に前記入力情報を表示させる、
請求項１に記載の情報処理装置。
【請求項３】
前記表示処理部は、複数の前記入力情報を、前記属性ごとに異なる領域に振り分けて表示させる、
請求項１又は請求項２に記載の情報処理装置。
【請求項４】
前記表示処理部は、複数の前記入力情報を、前記属性ごとに異なるページに振り分けて表示させる、
請求項３に記載の情報処理装置。
【請求項５】
前記表示処理部は、複数の前記入力情報を、所定の表示態様に変換して前記表示部に表示させる、
請求項１から請求項４のいずれか１項に記載の情報処理装置。
【請求項６】
前記表示処理部は、複数の前記入力情報に含まれる文字の文字数又は行数に基づいて、前記表示部に表示する文字の表示サイズ及び行間を決定し、決定した前記表示サイズ及び前記行間により複数の前記入力情報を前記表示部に表示させる、
請求項１から請求項５のいずれか１項に記載の情報処理装置。
【請求項７】
前記付箋生成部は、指定された色を前記属性として関連付けて前記付箋画像を生成するとともに、前記付箋画像の背景色を前記色で表示させ、
前記表示処理部は、複数の前記付箋画像のそれぞれの色に基づいて、複数の前記入力情報を前記表示部に表示させる、
請求項１から請求項６のいずれか１項に記載の情報処理装置。
【請求項８】
前記表示処理部は、前記背景色が第１色の１又は複数の第１付箋画像に関連付けられた第１入力情報を第１領域に表示させ、前記背景色が第２色の１又は複数の第２付箋画像に関連付けられた第２入力情報を第２領域に表示させる、
請求項７に記載の情報処理装置。
【請求項９】
前記表示部に表示された前記付箋画像の前記位置、背景色、大きさ、及び前記入力情報の少なくともいずれかを変更する付箋処理部をさらに備える、
請求項１から請求項８のいずれか１項に記載の情報処理装置。
【請求項１０】
表示部の指定された位置を検出する入力検出ステップと、
前記入力検出ステップにより検出される前記位置と、入力される入力情報とを関連付けて付箋画像を生成し、生成した前記付箋画像を前記表示部に表示させる付箋生成ステップと、
前記付箋生成ステップにより生成される複数の前記付箋画像のそれぞれの属性に基づいて、複数の前記付箋画像のそれぞれに関連付けられた複数の前記入力情報を前記表示部に表示させる表示ステップと、
を一又は複数のプロセッサにより実行する情報処理方法。
【請求項１１】
表示部の指定された位置を検出する入力検出ステップと、
前記入力検出ステップにより検出される前記位置と、入力される入力情報とを関連付けて付箋画像を生成し、生成した前記付箋画像を前記表示部に表示させる付箋生成ステップと、
前記付箋生成ステップにより生成される複数の前記付箋画像のそれぞれの属性に基づいて、複数の前記付箋画像のそれぞれに関連付けられた複数の前記入力情報を前記表示部に表示させる表示ステップと、
を一又は複数のプロセッサに実行させるための情報処理プログラム。
【発明の詳細な説明】
【技術分野】
【０００１】
本発明は、表示部にタッチペンにより描画情報を描画（入力）可能な情報処理装置、情報処理方法、及び情報処理プログラムに関する。
【背景技術】
【０００２】
従来、タッチパネルを用いてユーザからの指示入力（タッチ）を受け付ける表示装置（情報処理装置）の１つとして、電子ボード（電子黒板又は電子白板ともいう。）が知られている（例えば特許文献１参照）。前記電子ボードは、タッチパネル上においてタッチペン等によって手書きされた情報（オブジェクト）の位置座標を読み取り、読み取った位置座標の情報に基づいて前記オブジェクトを文字認識してテキスト変換し、変換したテキストを表示部に表示する。
【先行技術文献】
【特許文献】
【０００３】
【特許文献１】特開２０１５−１９４８５０号公報
【発明の概要】
【発明が解決しようとする課題】
【０００４】
前記電子ボードにおいて、所謂付箋紙を電子的に表した付箋画像が提案されている。付箋機能を利用することにより、会議などにおいて様々な意見を付箋画像で表示させることが可能となる。しかし、従来の付箋機能では、複数の付箋画像を表示部に表示させたり、付箋画像を任意の位置に移動させたりするなどの態様に留まり、議事録などの資料の生成の効率化を図ることは難しい。
【０００５】
本発明の目的は、付箋機能を利用した資料作成の効率化を図ることが可能な情報処理装置、情報処理方法、及び情報処理プログラムを提供することにある。
【課題を解決するための手段】
【０００６】
本発明の一の態様に係る情報処理装置は、表示部の指定された位置を検出する入力検出部と、前記入力検出部により検出される前記位置と、入力される入力情報とを関連付けて付箋画像を生成し、生成した前記付箋画像を前記表示部に表示させる付箋生成部と、前記付箋生成部により生成される複数の前記付箋画像のそれぞれの属性に基づいて、複数の前記付箋画像のそれぞれに関連付けられた複数の前記入力情報を前記表示部に表示させる表示処理部と、を備える。
【０００７】
本発明の他の態様に係る情報処理方法は、表示部の指定された位置を検出する入力検出ステップと、前記入力検出ステップにより検出される前記位置と、入力される入力情報とを関連付けて付箋画像を生成し、生成した前記付箋画像を前記表示部に表示させる付箋生成ステップと、前記付箋生成ステップにより生成される複数の前記付箋画像のそれぞれの属性に基づいて、複数の前記付箋画像のそれぞれに関連付けられた複数の前記入力情報を前記表示部に表示させる表示ステップと、を一又は複数のプロセッサにより実行する。
【０００８】
本発明の他の態様に係る情報処理プログラムは、表示部の指定された位置を検出する入力検出ステップと、前記入力検出ステップにより検出される前記位置と、入力される入力情報とを関連付けて付箋画像を生成し、生成した前記付箋画像を前記表示部に表示させる付箋生成ステップと、前記付箋生成ステップにより生成される複数の前記付箋画像のそれぞれの属性に基づいて、複数の前記付箋画像のそれぞれに関連付けられた複数の前記入力情報を前記表示部に表示させる表示ステップと、を一又は複数のプロセッサに実行させるための情報処理プログラムである。
【発明の効果】
【０００９】
本発明によれば、付箋機能を利用した資料作成の効率化を図ることが可能な情報処理装置、情報処理方法、及び情報処理プログラムを提供することが可能となる。
【図面の簡単な説明】
【００１０】
【図１】図１は、本発明の実施形態に係る情報処理装置の構成を示すブロック図である。
【図２】図２は、本発明の実施形態に係る情報処理装置で利用される付箋情報の一例を示す図である。
【図３Ａ】図３Ａは、本発明の実施形態に係る表示部に表示される表示画面の一例を示す図である。
【図３Ｂ】図３Ｂは、本発明の実施形態に係る表示部に表示される表示画面の一例を示す図である。
【図３Ｃ】図３Ｃは、本発明の実施形態に係る表示部に表示される表示画面の一例を示す図である。
【図４】図４は、本発明の実施形態に係る表示部に表示される表示画面の一例を示す図である。
【図５】図５は、本発明の実施形態に係る表示部に表示される第１シートの一例を示す図である。
【図６】図６は、本発明の実施形態に係る表示部に表示される第２シートの一例を示す図である。
【図７】図７は、本発明の実施形態に係る表示部に表示される第３シートの一例を示す図である。
【図８】図８は、本発明の実施形態に係る表示部に表示される第１シートの他の例を示す図である。
【図９】図９は、本発明の実施形態に係る表示部に表示される第２シートの他の例を示す図である。
【図１０】図１０は、本発明の実施形態に係る表示部に表示される第３シートの他の例を示す図である。
【図１１】図１１は、本発明の実施形態に係る情報処理装置における情報処理の手順の一例を説明するためのフローチャートである。
【図１２】図１２は、本発明の実施形態に係る情報処理装置における付箋生成処理の手順の一例を説明するためのフローチャートである。
【図１３】図１３は、本発明の実施形態に係る情報処理装置における付箋変更処理の手順の一例を説明するためのフローチャートである。
【図１４】図１４は、本発明の実施形態に係る情報処理装置における資料作成処理の手順の一例を説明するためのフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
図１に示すように、本発明の実施形態に係る情報処理装置１は、タッチディスプレイ１００と、制御装置２００と、タッチペン３００とを備えている。制御装置２００は、タッチディスプレイ１００に接続され、タッチディスプレイ１００を制御するコンピュータである。タッチペン３００は、制御装置２００にネットワーク（無線通信又は有線通信）を介して接続されている。なお、タッチペン３００は、省略されてもよい。
【００１３】
タッチディスプレイ１００は、タッチパネル１１０と、表示部１２０と、を備えている。タッチパネル１１０は、静電容量方式のタッチパネルであってもよいし、感圧式又は赤外線遮断方式のタッチパネルであってもよい。すなわち、タッチパネル１１０は、タッチ等、利用者の操作入力を適宜受け付けることが可能な装置であればよい。タッチパネル１１０は、表示部１２０に設けられている。表示部１２０は、例えば液晶ディスプレイである。なお、表示部１２０は、液晶ディスプレイに限定されず、ＬＥＤ（Light Emitting Diode）ディスプレイ、有機ＥＬ（Electro-Luminescence）ディスプレイ、プロジェクタ等であってもよい。
【００１４】
タッチディスプレイ１００は、タッチパネルを有するコンピュータ、タブレット端末、スマートフォン、カーナビゲーションなどの装置であってもよい。
【００１５】
タッチペン３００は、ユーザがタッチディスプレイ１００に対してタッチ（入力）するためのペンである。タッチペン３００が省略される場合は、ユーザは指によりタッチディスプレイ１００に対してタッチ（入力）する。例えばユーザは、タッチペン３００又は指により、文字、図形などのオブジェクトを手書き入力（描画）する。
【００１６】
図１に示すように、制御装置２００は、記憶部２２０と、制御部２１０とを備えている。
【００１７】
記憶部２２０は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。
【００１８】
具体的に、記憶部２２０には、ユーザがタッチディスプレイ１００において作成した付箋画像に関する付箋情報２２２が記憶される。図２は、付箋情報２２２の一例を示す図である。図２に示すように、付箋情報２２２には、付箋画像Ｐごとに、「付箋ＩＤ」、「ページ番号」、「位置」、「色」、「大きさ」、「入力情報」の各情報が登録される。「付箋ＩＤ」は、付箋画像Ｐの識別情報である。「ページ番号」は、付箋画像Ｐが生成されるページの番号である。「位置」は、表示部１２０における付箋画像Ｐの座標位置である。「色」は、付箋画像Ｐの背景色である。「色」は、本発明の付箋画像の属性の一例である。「大きさ」は、表示部における付箋画像Ｐの外形の大きさである。「入力情報」は、付箋画像Ｐの領域内に表示される文字、図形、記号など、ユーザにより入力された情報である。なお、ユーザは、タッチパネル１１０においてタッチペン３００又は指により入力情報を入力してもよいし、キーボード、マウスなどの操作機器を用いて入力情報を入力してもよい。付箋情報２２２には、付箋画像Ｐが生成された順（時系列）に各情報が記憶される。
【００１９】
また、記憶部２２０には、付箋画像Ｐ以外の領域に入力された入力情報も記憶される。
【００２０】
さらに、記憶部２２０には、制御部２１０に後述の情報処理（図１１参照）を実行させるための情報処理プログラム２２１などの制御プログラムが記憶されている。例えば、情報処理プログラム２２１は、ＣＤ又はＤＶＤなどのコンピュータ読取可能な記録媒体に非一時的に記録されており、情報処理装置１が備えるＣＤドライブ又はＤＶＤドライブなどの読取装置（不図示）で読み取られて記憶部２２０に記憶される。
【００２１】
制御部２１０は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１０は、前記ＲＯＭ又は記憶部２２０に予め記憶された各種の制御プログラムを前記ＣＰＵで実行することにより情報処理装置１を制御する。
【００２２】
具体的に、制御部２１０は、図１に示すように、入力検出部２１１、付箋生成部２１２、付箋処理部２１３、表示処理部２１４などの各種の処理部を含む。なお、制御部２１０は、前記ＣＰＵで情報処理プログラム２２１に従った各種の処理を実行することによって前記各種の処理部として機能する。また、一部又は全部の前記処理部が電子回路で構成されていてもよい。なお、情報処理プログラム２２１は、複数のプロセッサを前記処理部として機能させるためのプログラムであってもよい。
【００２３】
入力検出部２１１は、タッチディスプレイ１００に対するタッチペン３００又は指による入力を検出する。入力検出部２１１は、本発明の入力検出部の一例である。具体的には、入力検出部２１１は、タッチパネル１１０上においてタッチペン３００又はユーザの指によって指定された位置のページ番号及び位置座標を検出する。例えば、ユーザがタッチパネル１１０において文字を手書き入力した場合に、入力検出部２１１は、入力された位置のページ番号及び位置座標を検出する。またユーザがタッチパネル１１０において付箋機能を起動させる操作を行った場合に、当該操作に対応する位置のページ番号及び位置座標を検出する。具体的には、ユーザがタッチペン３００をタッチパネル１１０の任意の位置において所定時間、接触状態を維持（長押し）した場合、付箋機能が起動する（付箋モードに移行する）。この場合に、入力検出部２１１は、タッチペン３００の接触位置、すなわち長押しされた位置のページ番号及び位置座標を検出する。
【００２４】
付箋生成部２１２は、入力検出部２１１により検出されるページ番号と、位置と、ユーザにより入力される入力情報とを関連付けて付箋画像Ｐを生成し、生成した付箋画像Ｐを表示部１２０に表示させる。また、付箋生成部２１２は、表示部１２０において選択された付箋画像Ｐの領域内に前記入力情報を表示させる。付箋生成部２１２は、本発明の付箋生成部の一例である。
【００２５】
例えば図３Ａに示すように、ユーザがタッチペン３００をタッチパネル１１０の任意の位置Ｘにおいて長押しして付箋モードに移行すると、付箋生成部２１２は、付箋選択画面Ｄ１を表示部１２０に表示させる。次に、付箋選択画面Ｄ１においてユーザがタッチペン３００により所望の色を選択すると、図３Ｂに示すように、付箋生成部２１２は、表示部１２０において、選択された色を背景色とした付箋画像Ｐを位置Ｘに表示させる。図３Ｂでは、背景色が赤色の付箋画像Ｐを示している。次に、ユーザがタッチペン３００により付箋画像Ｐを選択すると、付箋画像Ｐの領域内に情報を表示させるための入力モードに移行する。入力モードに移行すると、ユーザはタッチペン３００又は操作機器（キーボードなど）により文字、図形、記号などを入力する。例えば、図３Ｃに示すように、ユーザが付箋画像Ｐにおいてタッチペン３００により「大阪  営業増員３名」の文字を手書き入力した場合、付箋生成部２１２は、入力された文字（入力情報）を、付箋画像Ｐの領域内に表示させる。なお、付箋生成部２１２は、前記入力情報を手書きフォントで付箋画像Ｐに表示させてもよいし、予め設定されたフォント（書体、文字サイズ、文字色）で付箋画像Ｐに表示させてもよいし、ユーザにより選択されたフォントで付箋画像Ｐに表示させてもよい。ユーザは、入力情報のカテゴリ（入力情報の提供者、入力情報の内容など）に応じて色を選択する。
【００２６】
ここで、付箋選択画面Ｄ１に、付箋画像Ｐの大きさを選択する項目が含まれてもよい。この場合、付箋生成部２１２は、ユーザにより選択された大きさの付箋画像Ｐを生成する。付箋選択画面Ｄ１に付箋画像Ｐの大きさを選択する項目が含まれない場合には、付箋生成部２１２は、初期設定の大きさで付箋画像Ｐを生成する。なお、付箋画像Ｐの大きさは、付箋画像Ｐが表示部１２０に表示された後の任意のタイミングで変更（拡大、縮小）することが可能である。
【００２７】
付箋生成部２１２は、生成した付箋画像Ｐに対応する付箋情報を付箋情報２２２に登録する。具体的には、付箋生成部２１２は、付箋画像Ｐが生成されたページ番号、付箋画像Ｐの位置Ｘ（表示位置）に対応する位置座標、色、大きさ、入力情報の各情報を、付箋画像Ｐの識別情報（付箋ＩＤ）に関連付けて付箋情報２２２に登録する。例えば、図３Ｃに対応する付箋画像Ｐについて、付箋ＩＤ「００１」に、位置Ｘに対応する位置座標（ｘ１，ｙ１）、色「赤色」、大きさ「Ｆ１」、及び入力情報「Ｔ１」（「大阪  営業増員３名」）を関連付けて登録する（図２参照）。図４には、付箋生成部２１２により９枚の付箋画像Ｐが生成及び表示された表示部１２０の表示画面を示している。図２に示す付箋情報２２２は、図４に示す９枚の付箋画像Ｐの付箋情報を示している。なお、図４では、便宜上、各付箋画像Ｐに付箋ＩＤを付している。また図４に示す例では、付箋ＩＤ「００１」、「００４」、「００５」及び「００９」の付箋画像Ｐが共通の属性（「赤色」）を有し、付箋ＩＤ「００２」、「００６」、及び「００８」の付箋画像Ｐが共通の属性（「青色」）を有し、付箋ＩＤ「００３」及び「００７」の付箋画像Ｐが共通の属性（「黄色」）を有している。
【００２８】
付箋処理部２１３は、表示部１２０に表示された付箋画像Ｐのページ番号、位置、色（背景色）、大きさ、及び入力情報の少なくともいずれかを変更する。付箋処理部２１３は、本発明の付箋処理部の一例である。
【００２９】
例えば、図４に示す表示画面において、ユーザがタッチペン３００により付箋ＩＤ「００３」の付箋画像Ｐの位置と、付箋ＩＤ「００１」の付箋画像Ｐの位置とを入れ替えた場合、付箋処理部２１３は、それぞれの付箋画像Ｐの位置を変更する。また、図４に示す表示画面において、ユーザがタッチペン３００により付箋画像Ｐを選択して背景色を変更する操作を行った場合、付箋処理部２１３は、当該付箋画像Ｐの色を変更する。また、図４に示す表示画面において、ユーザがタッチペン３００により付箋画像Ｐの大きさを変更する操作を行った場合、付箋処理部２１３は、当該付箋画像Ｐの大きさを変更する。さらに、図４に示す表示画面において、ユーザがタッチペン３００により付箋画像Ｐを選択して入力モードに移行させて入力情報を書き替えた場合、付箋処理部２１３は、当該付箋画像Ｐに表示される入力情報を変更する。
【００３０】
付箋処理部２１３は、付箋画像Ｐのページ番号、位置、背景色、大きさ、及び入力情報の少なくともいずれかを変更した場合、付箋情報２２２（図２参照）の対応する情報を更新する。
【００３１】
表示処理部２１４は、付箋生成部２１２により生成される複数の付箋画像Ｐのそれぞれの属性に基づいて、複数の付箋画像Ｐのそれぞれに関連付けられた複数の入力情報を表示部１２０に表示させる。表示処理部２１４は、本発明の表示処理部の一例である。具体的には、表示処理部２１４は、複数の前記入力情報を、付箋情報２２２に基づいて、前記属性ごとに異なる領域又は異なるページに振り分けて表示させる。
【００３２】
例えば、表示処理部２１４は、属性が第１色の１又は複数の第１付箋画像Ｐに関連付けられた第１入力情報を第１領域に表示させ、属性が第２色の１又は複数の第２付箋画像Ｐに関連付けられた第２入力情報を第２領域に表示させる。例えば、図４に示す表示画面においてユーザが「資料作成」の選択キーＫ１を選択した場合、表示処理部２１４は、「赤色」の属性を有する付箋ＩＤ「００１」、「００４」、「００５」及び「００９」の付箋画像Ｐに関連付けられた入力情報を、第１シートＳ１（図５参照）に表示させ、「青色」の属性を有する付箋ＩＤ「００２」、「００６」、及び「００８」の付箋画像Ｐに関連付けられた入力情報を、第２シートＳ２（図６参照）に表示させ、「黄色」の属性を有する付箋ＩＤ「００３」及び「００７」の付箋画像Ｐに関連付けられた入力情報を、第３シートＳ３（図７参照）に表示させる。第１シートＳ１、第２シートＳ２、及び第３シートＳ３は、１ページに含まれてもよいし、異なるページに含まれてもよい。このように、表示処理部２１４は、付箋画像Ｐの属性ごとに入力情報を集約（グルーピング）する。
【００３３】
また、表示処理部２１４は、所定の優先順位に基づいて前記入力情報を各シートに表示させる。例えば、図４に示す表示画面において、水平方向については右側から左側にいく程、優先順位を高く設定し、垂直方向については下側から上側にいく程、優先順位を高く設定する。この場合、表示処理部２１４は、例えば第１シートＳ１において、付箋ＩＤ「００５」の入力情報Ｔ５を最上部に表示させ、付箋ＩＤ「００４」の入力情報Ｔ４を入力情報Ｔ５の下に表示させ、付箋ＩＤ「００１」の入力情報Ｔ１を入力情報Ｔ４の下に表示させ、付箋ＩＤ「００９」の入力情報Ｔ９を入力情報Ｔ１の下に表示させる。なお、前記優先順位は、付箋画像Ｐの位置に限定されず、入力情報に応じて設定されてもよい。例えば、前記入力情報に含まれるキーワードの重要度に応じて付箋画像Ｐの優先順位が決定されてもよい。また、前記入力情報に対応するユーザ（情報提供者）の属性（役職など）に応じて付箋画像Ｐの優先順位が決定されてもよい。
【００３４】
また、表示処理部２１４は、前記入力情報を、所定の表示態様に変換して表示部１２０に表示させてもよい。例えば、図５〜図７に示すように、表示処理部２１４は、前記入力情報について、ユーザの入力操作に応じた手書きフォント（図４参照）の書体を「ゴシック体」に変換して表示部１２０に表示させる。
【００３５】
また、表示処理部２１４は、複数の前記入力情報に含まれる文字の文字数又は行数に基づいて、表示部１２０に表示する文字の表示サイズ及び行間を決定し、決定した前記表示サイズ及び前記行間により複数の前記入力情報を表示部１２０に表示させてもよい。例えば、表示処理部２１４は、属性ごとに入力情報を振り分けた場合に、最も入力情報（文字数、行数など）が多くなるシート（ここでは第１シートＳ１）において、文字の表示サイズ及び行間を決定する（図８参照）。表示処理部２１４は、決定した表示さず及び行間により、第１シートＳ１（図８参照）、第２シートＳ２（図９参照）、及び第３シートＳ３（図１０参照）に前記入力情報を表示させる。
【００３６】
また、表示処理部２１４は、各シートの背景色を付箋画像Ｐに関連付けられた色で表示させてもよい。例えば、表示処理部２１４は、第１シートＳ１の背景色を「赤色」で表示させ、第２シートＳ２の背景色を「青色」で表示させ、第３シートＳ３の背景色を「黄色」で表示させる。
【００３７】
このように、表示処理部２１４は、属性に応じて振り分けた入力情報を各シートに埋め込んで資料を作成する。表示処理部２１４は、作成した資料（シート）を記憶部２２０に記憶（保存）する。制御部２１０は、ユーザの要求に応じて、前記資料を議事録として印刷してもよいし、前記資料のデータをユーザ端末に送信してもよい。
【００３８】
なお、制御部２１０は、タッチペン３００の属性に応じて入力情報を表示部１２０に描画する処理を実行してもよい。例えば、制御部２１０は、タッチペン３００から識別信号を受信して、当該識別信号に関連付けられた属性（筆記色、文字の太さ、ペン先の形状など）に応じて文字、図形、記号を表示部１２０に描画する。制御部２１０は、他の筆記具（消しゴムなど）の識別信号を受信して、当該筆記具に応じた処理（描画情報の消去など）を実行してもよい。
【００３９】
［情報処理］
以下、図１１を参照しつつ、情報処理装置１において実行される情報処理について説明する。具体的に、本実施形態では、情報処理装置１の制御部２１０によって前記情報処理が実行される。なお、制御部２１０は、ユーザの所定の操作によって前記情報処理を途中で終了することがある。
【００４０】
なお、本発明は、前記情報処理に含まれる一又は複数のステップを実行する情報処理方法の発明として捉えることができる。また、ここで説明する前記情報処理に含まれる一又は複数のステップは適宜省略されてもよい。なお、前記情報処理における各ステップは同様の作用効果を生じる範囲で実行順序が異なってもよい。さらに、ここでは制御部２１０によって前記情報処理における各ステップが実行される場合を例に挙げて説明するが、複数のプロセッサによって当該情報処理における各ステップが分散して実行される情報処理方法も他の実施形態として考えられる。
【００４１】
先ず、ステップＳ１１において、制御部２１０は、タッチディスプレイ１００に対するタッチペン３００又は指による入力を検出したか否かを判定する。前記入力を検出した場合（Ｓ１１：ＹＥＳ）、処理はステップＳ１２に移行する。ステップＳ１１は、本発明の入力検出ステップの一例である。
【００４２】
ステップＳ１２において、制御部２１０は、ユーザにより終了コマンドが選択されたか否かを判定する。前記終了コマンドが選択された場合（Ｓ１２：ＹＥＳ）、処理は終了する。制御部２１０が前記終了コマンドを取得しない場合（Ｓ１２：ＮＯ）、処理はステップＳ１３に移行する。
【００４３】
ステップＳ１３において、制御部２１０は、付箋モードに移行したか否かを判定する。例えばユーザがタッチペン３００をタッチパネル１１０の任意の位置において所定時間、接触状態を維持（長押し）した場合、付箋モードに移行する。付箋モードに移行した場合（Ｓ１３：ＹＥＳ）、制御部２１０は、後述の付箋生成処理（図１２参照）を実行する。付箋モードに移行しない場合（Ｓ１３：ＮＯ）、処理はステップＳ１４に移行する。
【００４４】
ステップＳ１４において、制御部２１０は、表示部１２０に表示された付箋画像Ｐにおいて、ユーザから付箋内容の変更を受け付けたか否かを判定する。付箋内容の変更を受け付けた場合（Ｓ１４：ＹＥＳ）、制御部２１０は、後述の付箋変更処理（図１３参照）を実行する。ユーザから付箋内容の変更を受け付けない場合（Ｓ１４：ＮＯ）、処理はステップＳ１５に移行する。
【００４５】
ステップＳ１５において、制御部２１０は、ユーザから資料作成の指示を受け付けたか否かを判定する。ユーザから資料作成の指示を受け付けた場合（Ｓ１５：ＹＥＳ）、制御部２１０は、後述の資料作成処理（図１４参照）を実行する。ユーザから資料作成の指示を受け付けない場合（Ｓ１５：ＮＯ）、処理はステップＳ１６に移行する。
【００４６】
ステップＳ１６において、制御部２１０は、ユーザから他のコマンドを受け付けたか否かを判定する。ユーザから他のコマンドを受け付けた場合（Ｓ１６：ＹＥＳ）、制御部２１０は、当該コマンド処理（Ｓ１６１）を実行する。ユーザから他のコマンドを受け付けない場合（Ｓ１６：ＮＯ）、処理はステップＳ１１に戻る。前記コマンドは、例えば、作成した資料の印刷処理、保存処理などである。これらのコマンド処理は周知の処理であるため説明を省略する。
【００４７】
［付箋生成処理］
図１２を参照しつつ、前記付箋生成処理について説明する。
【００４８】
ステップＳ２１において、制御部２１０は、ユーザにより入力された入力位置のページ番号及び位置座標を取得する。具体的には、制御部２１０は、ユーザがタッチペン３００によりタッチパネル１１０に長押しした位置Ｘのページ番号及び位置座標を取得する（図３Ａ参照）。
【００４９】
次にステップＳ２２において、制御部２１０は、付箋選択画面Ｄ１（図３Ａ参照）においてユーザにより選択された色を取得する。
【００５０】
次にステップＳ２３において、制御部２１０は、取得した位置座標及び色に基づいて付箋画像Ｐを生成して表示部１２０に表示させる（図３Ｂ参照）。ステップＳ２３は、本発明の付箋生成ステップの一例である。
【００５１】
次にステップＳ２４において、制御部２１０は、ユーザにより入力された入力情報を付箋画像Ｐの領域内に表示させる（図３Ｃ参照）。その後、処理は、図１１のステップＳ１４に移行する。ステップＳ２４は、本発明の表示ステップの一例である。
【００５２】
［付箋変更処理］
図１３を参照しつつ、前記付箋変更処理について説明する。
【００５３】
ステップＳ３１において、制御部２１０は、ユーザにより付箋画像Ｐのページ番号又は位置を変更する操作を受け付けたか否かを判定する。前記操作を受け付けた場合（Ｓ３１：ＹＥＳ）、処理はステップＳ３２に移行する。一方、前記操作を受け付けない場合（Ｓ３１：ＮＯ）、処理はステップＳ３３に移行する。
【００５４】
ステップＳ３２において制御部２１０は、ユーザの操作に応じて付箋画像Ｐのページ番号又は位置を変更する。例えば、ユーザが付箋画像Ｐをタッチペン３００又は指でドラッグアンドドロップ操作を行った場合、当該付箋画像Ｐのページ番号又は位置を移動させる。
【００５５】
ステップＳ３３において、制御部２１０は、ユーザにより付箋画像Ｐの色を変更する操作を受け付けたか否かを判定する。前記操作を受け付けた場合（Ｓ３３：ＹＥＳ）、処理はステップＳ３４に移行する。一方、前記操作を受け付けない場合（Ｓ３３：ＮＯ）、処理はステップＳ３５に移行する。
【００５６】
ステップＳ３４において、制御部２１０は、付箋画像Ｐの背景色をユーザにより選択された色に変更する。
【００５７】
ステップＳ３５において、制御部２１０は、ユーザにより付箋画像Ｐの大きさを変更する操作を受け付けたか否かを判定する。前記操作を受け付けた場合（Ｓ３５：ＹＥＳ）、処理はステップＳ３６に移行する。一方、前記操作を受け付けない場合（Ｓ３５：ＮＯ）、処理はステップＳ３７に移行する。
【００５８】
ステップＳ３６において、制御部２１０は、ユーザの操作に応じて付箋画像Ｐの大きさを変更する。例えば、ユーザが付箋画像Ｐをピンチイン・ピンチアウト操作などの拡大・縮小操作を行った場合に、付箋画像Ｐの大きさを変更する。
【００５９】
ステップＳ３７において、制御部２１０は、ユーザにより付箋画像Ｐに表示された入力情報を変更する操作を受け付けたか否かを判定する。前記操作を受け付けた場合（Ｓ３７：ＹＥＳ）、処理はステップＳ３８に移行する。一方、前記操作を受け付けない場合（Ｓ３７：ＮＯ）、処理は終了する。
【００６０】
ステップＳ３８において、制御部２１０は、付箋画像Ｐに表示された入力情報をユーザにより書き替えられた情報に変更する。
【００６１】
ステップＳ３９において、制御部２１０は、前記各操作に応じた情報に基づいて、付箋情報２２２（図２参照）に登録された各情報を更新する。その後、処理は、図１１のステップＳ１５に移行する。
【００６２】
［資料作成処理］
図１４を参照しつつ、前記資料作成処理について説明する。
【００６３】
ステップＳ４１において、制御部２１０は、属性ごとに前記入力情報を異なる領域又は異なるシート（ページ）を作成する。例えば制御部２１０は、赤色の第１シートＳ１、青色の第２シートＳ２、黄色の第３シートＳ３を作成する。
【００６４】
ステップＳ４２において、制御部２１０は、付箋画像Ｐに関連付けられた入力情報の表示態様を決定する。例えば制御部２１０は、ユーザの入力操作に応じた手書きフォント（図４参照）の書体を「ゴシック体」に変換する。また例えば制御部２１０は、複数の入力情報に含まれる文字の文字数又は行数に基づいて、各シートに表示する文字の表示サイズ及び行間を決定する（図８参照）。
【００６５】
ステップＳ４３において、制御部２１０は、各シートに入力情報を表示する（埋め込む）。例えば制御部２１０は、第１シートＳ１に赤色の付箋画像Ｐに関連付けられた入力情報Ｔ１，Ｔ４，Ｔ５，Ｔ９を表示させ（図５参照）、第２シートＳ２に青色の付箋画像Ｐに関連付けられた入力情報Ｔ２，Ｔ６，Ｔ８を表示させ（図６参照）、第３シートＳ３に黄色の付箋画像Ｐに関連付けられた入力情報Ｔ３，Ｔ７を表示させる（図７参照）。
【００６６】
ステップＳ４４において、制御部２１０は、作成した資料を保存する。例えば制御部２１０は、第１シートＳ１、第２シートＳ２、第３シートＳ３からなる資料のデータを記憶部２２０に保存する。その後、処理は、図１１のステップＳ１６に移行する。
【００６７】
実施形態に係る情報処理装置１は、以上のようにして前記情報処理を実行する。
【００６８】
以上のように、情報処理装置１は、付箋画像Ｐの属性（色）ごとに領域又はページ（シート）を作成し、付箋画像Ｐの入力情報を各ページに挿入する。また、情報処理装置１は、手書き文字を所定のフォントに変換して各ページに表示する。さらに、情報処理装置１は、各ページにおいて、行間及び文字サイズを統一して表示する。このように、情報処理装置１は、複数の入力情報を付箋画像Ｐの属性に応じて集約することができるため、付箋機能を利用した資料作成の効率化を図ることが可能となる。
【００６９】
本発明は上述の実施形態に限定されない。他の実施形態として、情報処理装置１は、付箋画像Ｐに表示される特定のキーワードを属性に用いてもよい。例えば、情報処理装置１は、付箋画像Ｐに表示される特定のマーク（図形）ごとにページを作成して、入力情報を振り分けてもよい。また、前記キーワードは、前記入力情報の内容であってもよい。例えば、情報処理装置１は、前記入力情報に含まれる特定の用語ごとにページを作成して、入力情報を振り分けてもよい。このように、本発明の属性は、付箋画像Ｐに関連付けられた色、文字、図形、記号であってもよい。
【００７０】
本発明の情報処理装置は、タッチパネル１１０及びタッチペン３００が省略されて構成されてもよい。例えば、本発明の情報処理装置は、制御装置２００及び表示部１２０により構成されてもよい。さらに、本発明の情報処理装置は、制御装置２００のみで構成されてもよい。この構成では本発明の情報処理装置は、ネットワークを介して接続される表示部１２０に各種の表示処理を実行させる。
【００７１】
また本発明の情報処理装置において、付箋画像は、ユーザの操作により作図される図形画像であってもよい。例えば、前記付箋画像は、作図アプリケーションソフト、文書作成アプリケーションソフトなどにより作成される図形画像であり、当該図形画像に色、文字、図形、記号などの属性と、ユーザにより入力される入力情報とが関連付けられる。また、前記付箋画像は、ユーザの操作によりページ番号、位置、背景色、大きさ、及び入力情報の少なくともいずれかを変更可能である。このように、本発明の付箋画像は、付箋紙と同等の役割を担う様々な電子的画像を含む。
【００７２】
尚、本発明に係る情報処理装置１は、各請求項に記載された発明の範囲において、以上に示された各実施形態を自由に組み合わせること、或いは各実施形態を適宜、変形又は一部を省略することによって構成されることも可能である。
【符号の説明】
【００７３】
１      ：情報処理装置
１００  ：タッチディスプレイ
１１０  ：タッチパネル
１２０  ：表示部
２００  ：制御装置
２１０  ：制御部
２１１  ：入力検出部
２１２  ：付箋生成部
２１３  ：付箋処理部
２１４  ：表示処理部
２２０  ：記憶部
２２１  ：情報処理プログラム
２２２  ：付箋情報
３００  ：タッチペン
【図１】
2020194399.tif 000003
【図２】
2020194399.tif 000004
【図３Ａ】
2020194399.tif 000005
【図３Ｂ】
2020194399.tif 000006
【図３Ｃ】
2020194399.tif 000007
【図４】
2020194399.tif 000008
【図５】
2020194399.tif 000009
【図６】
2020194399.tif 000010
【図７】
2020194399.tif 000011
【図８】
2020194399.tif 000012
【図９】
2020194399.tif 000013
【図１０】
2020194399.tif 000014
【図１１】
2020194399.tif 000015
【図１２】
2020194399.tif 000016
【図１３】
2020194399.tif 000017
【図１４】
2020194399.tif 000018